(57)【要約】【課題】前ローラーをリールカッターに近接配置でき、芝の掻き立てを確実に行うことのできるリール式の芝刈り機を提案すること。【解決手段】リール式の芝刈り機１は、芝刈り機本体２の下部に、リールカッター１０が幅方向に水平に配置されている。リールカッター１０の前側には、リールカッター１０による刈り高さを規定する前ローラー１２が幅方向に水平に配置されている。前ローラー１２とリールカッター１０の間の部位には、芝立たせブラシ１１が幅方向に配置されている。芝立たせブラシ１１を前ローラー１２の後側に配置してあるので、前ローラー１２とリールカッター１０を近接配置でき、リールカッター１０による芝かじり等の弊害を確実に防止でき、かつ、芝立たせブラシ１１によって確実に芝を掻き立たせることができ、均一に芝刈りを行うことができる。【選択図】図２
2014226076.tif 000002
【特許請求の範囲】
【請求項１】
芝刈り機本体（２）の下部に配置したリールカッター（１０）と、
前記芝刈り機本体（２）における前記リールカッター（１０）の前側の部位に配置され、前記リールカッター（１０）による刈り高さを規定する前ローラー（１２）と、
前記芝刈り機本体（２）における前記前ローラー（１２）と前記リールカッター（１０）の間に配置した、所定の高さ及び厚さの芝立たせブラシ（１１）と、
を有していることを特徴とするリール式の芝刈り機（１）。
【請求項２】
前記芝立たせブラシ（１１）は、取付け高さを調整可能な状態で、前記芝刈り機本体（２）に取り付けられている請求項１に記載のリール式の芝刈り機（１）。
【請求項３】
前記芝立たせブラシ（１１）は、前後方向の取付け角度を調整可能な状態で、前記芝刈り機本体（２）に取り付けられている請求項１または２に記載のリール式の芝刈り機（１）。
【請求項４】
前記芝立たせブラシ（１１）は、幅方向に延びる揺動中心線を中心として上下方向に揺動可能に、前記芝刈り機本体（２）に取り付けられている請求項１に記載のリール式の芝刈り機（１）。
【請求項５】
前記前ローラー（１２）のローラー軸（１７）の左右の軸端部を回転可能な状態で支持している左右の前ローラーブラケット（１８）と、
左右の前記前ローラーブラケット（１８）に取り付けた支点ピン（２３）を中心として上下に揺動可能な左右の揺動ブラケット（２２）と、
と有し、
前記芝立たせブラシ（１１）は、左右の前記揺動ブラケット（２２）の間に架け渡されている請求項４に記載のリール式の芝刈り機（１）。
【請求項６】
前記揺動ブラケット（２２）の下方への揺動限界を調整可能な揺動調整具（２６）を備えている請求項５に記載のリール式の芝刈り機（１）。
【請求項７】
前記揺動ブラケット（２２）に対する前記芝立たせブラシ（１１）の前後方向の取付け角を調整可能な取付け角調整具（２９ｂ）を備えている請求項５または６に記載のリール式の芝刈り機（１）。
【請求項８】
前記揺動ブラケット（２２）を揺動しないように前記前ローラーブラケット（１８）に固定可能な揺動規制具（２７）を備えている請求項５ないし７のうちのいずれか一つの項に記載のリール式の芝刈り機（１）。
【発明の詳細な説明】
【技術分野】
【０００１】
本発明は、倒れた状態の芝を掻き立てて、均一な刈り高さで芝刈りを行うことのできるリール式の芝刈り機に関する。
【背景技術】
【０００２】
ゴルフ場における芝刈作業では、アンジュレーション（起伏）のある場所でも、芝の刈り高さを一定にすることが要求される。特に、グリーンの芝刈り作業においては、ゴルフ競技におけるグリーンの役割上、繊細な作業が要求され、刈り刃としてリールカッターを備えたグリーンモアと呼ばれるリール式の歩行型芝刈り機が用いられている。かかる歩行型芝刈り機は、回転側のリール刃と固定側の受け刃のすり合わせによって芝刈を行うものである。特許文献１には、このような歩行型芝刈り機が開示されている。
【０００３】
リール式の歩行型芝刈り機では、リールカッターの前方に前ローラーが配置されており、前ローラーの取付け位置を上下方向に調整することで、リールカッターと地表面の間隔を増減して刈り高さを調整できる。また、前ローラーとリールカッターの間にはサッチングカッター、グルーミングカッター等のカッターが配置され、倒れた状態の芝を掻き立てて、リールカッターによって刈り取ることができるようにしている。
【０００４】
また、リールカッターを備えたリール式の芝刈り機としては、乗用型芝刈り機も知られている。リール式の乗用型芝刈り機は、３輪あるいは４輪の走行車両から吊り下げられた複数基のモアユニットを備えている。特許文献２には、このようなリール式の乗用型芝刈り機が開示されている。
【先行技術文献】
【特許文献】
【０００５】
【特許文献１】特開２０１０−５７４４６号公報
【特許文献２】特開２０１１−２０６０２６号公報
【発明の概要】
【発明が解決しようとする課題】
【０００６】
このようなリール式の芝刈り機において、前ローラーとリールカッターの間に、芝を掻き立てるためのローラーを配置すると、当該ローラーの配置スペースを確保するために前ローラーを前方に出た位置に配置する必要がある。しかし、前ローラーとリールカッターの間隔が広くなると、細かなアンジュレーションのある地表面等の芝刈り作業においては、前ローラーが位置する地表面部分に対してリールカッターが位置する地表面部分に高低差が生じやすい。この結果、芝の刈り高さを一定にできず、また、リールカッターによる芝かじり等の弊害が生ずるおそれがある。
【０００７】
そこで、前ローラーをリールカッターになるべく近づけるために、前ローラーの前方に芝を掻き立てるためのグルーミングカッター等を配置することが考えられる。しかし、このようにすると、グルーミングカッター等によって掻き立てられた芝が、後続の前ローラーによって再び倒されてしまうので好ましくない。
【０００８】
本発明の課題は、このような点に鑑みて、前ローラーをリールカッターに近接配置でき、しかも、芝の掻き立てを確実に行うことのできるリール式の芝刈り機を提案することにある。
【課題を解決するための手段】
【０００９】
上記の課題を解決するために、本発明のリール式の芝刈り機は、芝刈り機本体の下部に配置したリールカッターと、前記芝刈り機本体における前記リールカッターの前側の部位に配置され、前記リールカッターによる刈り高さを規定する前ローラーと、前記芝刈り機本体における前記前ローラーと前記リールカッターの間に配置した、所定の高さ及び厚さの芝立たせブラシと、を有していることを特徴としている。
【００１０】
本発明では、前ローラーとリールカッターの間に芝立たせブラシを配置してある。グルーミングカッター等の芝立たせ用のカッターを配置する場合とは異なり、狭いスペースに板状の芝立たせブラシを配置可能である。よって、前ローラーとリールカッターの間には、芝立たせブラシの配置に必要な狭い間隔を取るだけでよく、芝立たせ用のアタッチメントが取り付けられていない場合と同様に、前ローラーとリールカッターを近接配置できる。
【００１１】
このように、前ローラーおよびリールカッターが近接配置されているので、前ローラーによって規定される刈り高さで芝を刈り取ることができ、リールカッターによる芝かじり等の弊害も発生しない。また、リールカッター手前の芝立たせブラシによって倒れた状態の芝を確実に掻き立てて、リールカッターによって刈り取ることができる。
【００１２】
これに加えて、リールカッターによって刈り取られる前の芝は、芝立たせブラシに接することで露などの水分が払い落とされる。刈り取られた芝に水分が多く含まれている場合には、刈り取った芝が相互にかたまってしまい、芝刈り機本体に取り付けたバケットに回収されずに、地表面に落下することがある。また、水分を含んだままの芝は重いので取り扱いも容易でない場合がある。芝立たせブラシによって刈り取られる前の芝から水分が払い落されるので、このような弊害も防止できる。
【００１３】
ここで、前記芝立たせブラシは、取付け高さを調整可能な状態で、前記芝刈り機本体に取り付けられていることが望ましい。芝種等に応じて芝の倒れ状態等が相違するので、芝立たせブラシの毛先部分をどの程度、地表面の側に向けて突出させるのかを調整できることが望ましい。
【００１４】
同様な理由により、前記芝立たせブラシは、前後方向の取付け角度を調整可能な状態で、前記芝刈り機本体に取り付けられていることが望ましい。
【００１５】
本発明において、地表面のアンジュレーションに追従できるように、前記芝立たせブラシは、左右方向に延びる軸線を中心として上下方向に揺動可能に、前記芝刈り機本体に取り付けられていることが望ましい。
【００１６】
一般に、前ローラーのローラー軸の左右の軸端部は、左右の前ローラーブラケットによって回転可能な状態で支持されているので、左右の前ローラーブラケットに取り付けた支点ピンを中心として上下に揺動可能な左右の揺動ブラケットを配置し、前記芝立たせブラシを左右の前記揺動ブラケットの間に架け渡す。これにより、芝立たせブラシを左右の支軸を中心として上下に揺動可能にすることができる。
【００１７】
この場合、芝立たせブラシの下端側の毛先部分を適切な状態で芝に当てることができるようにするために、前記揺動ブラケットの下方への揺動限界を調整可能な揺動調整用ボルトを備えていることが望ましい。
【００１８】
同様な理由により、前記揺動ブラケットに対する前記芝立たせブラシの前後方向の取付け角を調整可能な取付け角調整用ボルトを備えていることが望ましい。
【００１９】
また、芝立たせブラシを選択的に揺動可能な取付け状態、揺動させない取付け状態に切り替えることができるようにするために、前記揺動ブラケットを揺動しないように前記ローラーブラケットに固定可能な揺動規制用ボルトを備えていることが望ましい。
【図面の簡単な説明】
【００２０】
【図１】実施の形態１に係る歩行型芝刈り機の正面図である。
【図２】歩行型芝刈り機の側面図である。
【図３】歩行型芝刈り機の前ローラーおよび芝立たせブラシを示す平面図、正面図、背面図、側面図、ｅ−ｅ線断面図およびｆ−ｆ線断面図である。
【図４】前ローラーブラケットおよび芝立たせブラシの支持部分を示す側面図、ｂ−ｂ線断面図、揺動ブラケットを取り付けた状態での側面図およびｄ−ｄ線断面図である。
【図５】前ローラーブラケットを示す平面図、側面図および背面図である。
【図６】スペーサを示す背面図および側面図である。
【図７】芝立たせブラシを示す平面図、背面図および側面図である。
【図８】ブラシ支えを示す平面図、正面図および側面図である。
【図９】揺動ブラケットを示す平面図、正面図および側面図である。
【図１０】支点ピンを示す正面図、平面図および側面図である。
【図１１】サッチングカッターを取り付けた場合の歩行型芝刈り機を示す正面図および側面図である。
【図１２】グルーミングカッターを取り付けた場合の歩行型芝刈り機を示す正面図および側面図である。
【図１３】実施の形態２に係る歩行型芝刈り機の正面図および側面図である。
【発明を実施するための形態】
【００２１】
以下に図面を参照して、本発明を適用したリール式の歩行型芝刈り機の実施の形態を説明する。
【００２２】
［実施の形態１］
図１は実施の形態１に係るリール式の歩行型芝刈り機を示す正面図であり、図２はその側面図である。図３は前ローラーおよび芝立たせブラシを取り出して示してあり、（ａ）は平面図であり、（ｂ）は正面図であり、（ｃ）は背面図であり、（ｄ）は左側面図であり、（ｅ）はｅ−ｅ線で切断した部分の断面図であり、（ｆ）はｆ−ｆ線で切断した部分の断面図である。
【００２３】
リール式の歩行型芝刈り機１（以下、単に「芝刈り機１」と呼ぶ場合もある。）は芝刈り機本体２を備え、芝刈り機本体２の後端部からは芝刈り機後方に向けて斜め上方にハンドルアーム３が延びている。ハンドルアーム３の先端側の部位には操作盤４が取り付けられ、その後側には幅方向に延びるハンドル５が設けられている。
【００２４】
芝刈り機本体２にはエンジン６および動力伝達機構部７が搭載されている。芝刈り機本体２の下部には、その後側から前側に向けて、ドラム式車輪８、固定側の受け刃９、リールカッター１０、芝立たせブラシ１１および前ローラー１２が配置されている。エンジン６の回転が動力伝達機構部７を介して、ドラム式車輪８およびリールカッター１０に伝達され、これらが回転駆動される。操作盤４には、メインクラッチ操作レバー１３および刈取りクラッチ操作レバー１４が配置されており、これらを操作することで、ドラム式車輪８への動力伝達およびリールカッター１０への動力伝達が制御される。
【００２５】
ドラム式車輪８は、芝刈り機本体２の下部において幅方向に水平に架け渡した車軸１５の左右の軸端部１５ａのそれぞれに同軸に取り付けられている。車軸１５の左右の軸端部１５ａはそれぞれ左右に突出している。これらの軸端部１５ａは、歩行型芝刈り機１を移動させる際に用いる左右のタイヤ（図示せず）の取付け軸部である。
【００２６】
受け刃９は、ドラム式車輪８の前側の部位において幅方向に水平に配置され、その刃先９ａが前方に向けて僅かに下方に傾斜した方向に延びている。リールカッター１０は、受け刃９の前側の位置において、芝刈り機本体２の下部において幅方向に水平に架け渡したカッター軸１６に同軸に固定されている。リールカッター１０は、カッター軸１６に同軸に固定したカッターフレームの外周面に沿って螺旋状に取り付けたリール刃１０ａを備えている。リール刃１０ａと受け刃９の刃先９ａとの摺り合いによって芝が刈り取られる。
【００２７】
芝刈り機本体２の下部における最も前側の部位に位置する前ローラー１２は、円筒状のローラー本体１２ａの外周面に、その軸線方向に一定のピッチで円環状のリブ１２ｂが形成された構成のローラーである。前ローラー１２の両端から突出している左右のローラー軸１７は、それぞれ左右の前ローラーブラケット１８の下端部に回転自在の状態で支持されている。左右の前ローラーブラケット１８は、それぞれ、芝刈り機本体２の左右のサイドフレーム１９に取り付けられた支軸２０に対して上下方向にスライド可能に取り付けられている。また、取付け高さ調整ネジ２１によって、前ローラーブラケット１８は、上下方向の所定の高さ位置に固定されている。取付け高さ調整ネジ２１によるねじ込み量を調整することで、前ローラーブラケット１８のサイドフレーム１９に対する取付け高さを調整可能である。
【００２８】
前ローラーブラケット１８の取付け高さを調整すると、そこに取り付けられている前ローラー１２の芝刈り機本体２に対する取付け高さを調整できる。前ローラー１２の取付け高さを調整することによって、芝の刈り高さを調整できる。すなわち、前ローラー１２の取付け高さを調整すると、ドラム式車輪８を中心として、接地面ＧＬに対するリールカッター１０と受け刃９のすり合わせ位置（芝の切断位置）を上下に調整でき、芝の刈り高さを調整できる。
【００２９】
芝立たせブラシ１１は、前ローラー１２の後側に隣接した位置において、その毛先部分１１ａが下を向く姿勢で、幅方向に水平に配置されている。本例の芝立たせブラシ１１は、幅方向に延びる揺動中心線回りに、上下方向に揺動可能である。すなわち、左右の前ローラーブラケット１８に、それぞれ揺動ブラケット２２が支点ピン２３を中心として上下方向に揺動可能に取り付けられている。左右の揺動ブラケット２２の間に、芝立たせブラシ１１が取り付けられたブラシ支え２４が架け渡されている。芝立たせブラシ１１の毛先部分１１ａの先が、前ローラー１２の接地側の外周面とほぼ同一高さ位置になるように、芝立たせブラシ１１の下方への揺動限界が規制されている。
【００３０】
この構成の芝刈り機１では、ドラム式車輪８を回転駆動して芝刈り機１を走行させながらリールカッター１０を回転駆動して芝刈り動作を行う。芝は、走行に伴って従動回転する前ローラー１２により押さえ付けられ、しかる後に、前ローラー１２の直後に配置されている芝立たせブラシ１１によって掻き立てられる。また、芝立たせブラシ１１によって芝についている露等の水分が振い落される。芝立たせブラシ１１によって掻き立てられた芝は、芝立たせブラシ１１の後側に配置されているリールカッター１０によって水平刈りされる。
【００３１】
前ローラー１２はリールカッター１０の手前の近接位置に配置されている。これらの間には偏平な芝立たせブラシ１１を配置できればよいので、可能な限り前ローラー１２とリールカッター１０を近接配置できる。よって、前ローラー１２によって規定される刈り高さで均一に芝刈りが行われ、リールカッター１０による芝かじりなどの弊害も回避できる。
【００３２】
（前ローラーおよび芝立たせブラシの支持部分の構造）
次に、図４ないし図１０を参照して、前ローラーブラケット１８、芝立たせブラシ１１、揺動ブラケット２２、並びに、前ローラー１２および芝立たせブラシ１１の支持部分の構造について説明する。
【００３３】
図４は前ローラーブラケット１８および揺動ブラケット２２の取付け部分を示し、（ａ）は揺動ブラケット２２を省略した状態の側面図であり、（ｂ）はそのｂ−ｂ線で切断した部分の断面図であり、（ｃ）は揺動ブラケット２２を取り付けた状態の側面図であり、（ｄ）はそのｄ−ｄ線で切断した部分の断面図である。
【００３４】
（前ローラーブラケット）
図５（ａ）〜（ｃ）は、前ローラー１２を支持している左右の前ローラーブラケット１８を示す平面図、側面図および背面図である。図６（ａ）および（ｂ）は、前ローラーブラケット１８と前ローラー１２のローラー軸１７の間に装着されるスペーサを示す背面図および側面図である。
【００３５】
図５に示すように、前ローラーブラケット１８は、前ローラー１２の左右のローラー軸１７を回転可能な状態で支持している軸受部１８ａと、この軸受部１８ａの前側の部位から上方に直線状に延びる板状のアーム部１８ｂとを備えている。アーム部１８ｂの上端部１８ｃは芝刈り機幅方向の内側に直角に折れ曲がっている。アーム部１８ｂには上下方向に長い長穴１８ｄが形成されている。
【００３６】
長穴１８ｄには、芝刈り機本体２のサイドフレーム１９に取り付けられた支軸２０（図１参照）が通されており、前ローラーブラケット１８は支軸２０に沿って上下方向にスライド可能である。アーム部１８ｂの上端部１８ｃとサイドフレーム１９の間には、図１、図２に示すように、取付け高さ調整ネジ２１が配置されている。取付け高さ調整ネジ２１のネジ込み量を調整することで、前ローラーブラケット１８の取付け高さを調整可能である。
【００３７】
図５（ｂ）から分かるように、前ローラーブラケット１８の軸受部１８ａには、芝刈り機前後方向に長い長円形の軸穴１８ｆが形成されている。図４（ａ）、（ｂ）から分かるように、軸穴１８ｆには、前ローラー１２のローラー軸１７が回転自在の状態で通されている。また、軸穴１８ｆには、図６に示すスペーサ２８がローラー軸１７の後側に装着されて、ローラー軸１７の前後方向の位置が規定されている。スペーサ２８は六角穴付き止めネジによって軸受部１８ａに固定されている。
【００３８】
（芝立たせブラシ）
図７（ａ）、（ｂ）および（ｃ）は芝立たせブラシ１１を示す平面図、背面図および側面図であり、図８（ａ）、（ｂ）および（ｃ）は芝立たせブラシ１１のブラシ支え２４を示す平面図、正面図および側面図である。
【００３９】
芝立たせブラシ１１は、図７に示すように、所定長さの多数本の毛を所定厚さに束ねた構成のものであり、リールカッター１０による刈り幅を包含する長さを備えている。多数本の毛の上端部分を束ねている板金製の束ね部１１ｂは、板金製のブラシ支え２４に取り付けられている。
【００４０】
ブラシ支え２４は、図８に示すように、芝立たせブラシ１１を包含する長さのブラシ取付け部２４ａを備え、その幅方向の両端部には、前方に直角に折れ曲がって延びる取付けフランジ２４ｂが形成されている。取付けフランジ２４ｂにはＬ形の補強金具２５が取り付けられている。ブラシ支え２４の左右の取付けフランジ２４ｂには、その前後方向に２個の取付け穴２４ｃ、２４ｄが形成されている。左右の取付けフランジ２４ｂが、それぞれ左右の揺動ブラケット２２に取り付けられる。
【００４１】
（揺動ブラケット）
図９（ａ）、（ｂ）および（ｃ）は、芝立たせブラシ１１を支持している左側の揺動ブラケット２２を示す平面図、正面図および側面図である。図１０（ａ）、（ｂ）および（ｃ）は、揺動ブラケット２２の揺動中心を規定する支点ピン２３を示す正面図、平面図および側面図である。
【００４２】
揺動ブラケット２２は、図９に示すように、ブラケット本体板２２ａを備えている。ブラケット本体板２２ａの後側の部位には、２つのブラシ取付け穴２２ｂ、２２ｃが形成されている。前側のブラシ取付け穴２２ｂは円形の穴であり、後側のブラシ取付け穴２２ｃは前側のブラシ取付け穴２２ｂを中心として上下に延びる一定幅の円弧穴である。
【００４３】
ブラシ支え２４の左右の取付けフランジ２４ｂの前後の取付け穴２４ｃ、２４ｄを、前後のブラシ取付け穴２２ｂ、２２ｃに位置決めして、図４（ｃ）、（ｄ）に示すように、取付け用の２本のボルト２９ａ、２９ｂによって、ブラシ支え２４がブラケット本体板２２ａに固定される。後側のブラシ取付け穴２２ｃは円弧穴であるので、ブラシ支え２４は、前側のブラシ取付け穴２２ｂに取り付けたボルト２９ａを中心として、ブラケット本体板２２ａに対する取付け角を調整可能である。すなわち、芝立たせブラシ１１は、取付け角度調整具として取り付けた後側のボルト２９ｂによって、取付け角度を調整可能な状態で、揺動ブラケット２２に取り付けられている。
【００４４】
揺動ブラケット２２のブラケット本体板２２ａには、図９（ｃ）に示すように、その前側の部位に、軸受部２２ｄが取り付けられている。軸受部２２ｄには、支点ピン２３が回転可能な状態に通されている。支点ピン２３は前ローラーブラケット１８に固定される。したがって、支点ピン２３を中心として揺動ブラケット２２は上下方向に揺動可能である。よって、揺動ブラケット２２によって支持されている芝立たせブラシ１１は芝刈り機本体２に対して上下方向に揺動可能である。
【００４５】
揺動ブラケット２２の揺動中心を規定する支点ピン２３は、図４（ａ）、（ｂ）から分かるように、前ローラーブラケット１８の軸受部１８ａに固定されている。すなわち、軸受部１８ａにおける芝刈り機前側の端面部分に、固定用のボルト２９ｃによって固定されている。固定された支点ピン２３は、芝刈り機幅方向の外方に向けて水平に突出した状態とされる。
【００４６】
揺動ブラケット２２の軸受部２２ｄの軸穴には、図４（ｃ）、（ｄ）に示すように、支点ピン２３が回動自在の状態に通されている。支点ピン２３の先端の側からボルト２９ｄが取り付けられ、揺動ブラケット２２が支点ピン２３から外れないように保持されている。
【００４７】
ここで、図４（ｄ）、図９に示すように、ブラケット本体板２２ａの上端部には芝刈り機本体２の幅方向の内側に直角に折れ曲がって延びる腕部２２ｅが形成されている。腕部２２ｅは、前ローラーブラケット１８の軸受部１８ａにおける長円形外周面１８ｅの上方に位置する。腕部２２ｅには、揺動調整具として用いる揺動調整用ボルト２６が取り付けられている。揺動調整用ボルト２６の下端は前ローラーブラケット１８の軸受部１８ａの長円形外周面１８ｅに上側から当接している。
【００４８】
したがって、揺動ブラケット２２は、この当接状態の位置から上方に揺動可能である。揺動調整用ボルト２６のねじ込み量を調整することで、揺動ブラケット２２の下方への揺動限界位置を調整できる。すなわち、揺動ブラケット２２によって支持されている芝立たせブラシ１１の毛先１１ａの下端位置が適切な位置となるように、調整できる。
【００４９】
次に、図９（ｃ）に示すように、ブラケット本体板２２ａにおける下端部には、ボルト穴２２ｆが形成されている。ボルト穴２２ｆには、図４（ｃ）、（ｄ）に示すように、揺動規制具として用いる揺動規制用ボルト２７が取り付けられている。揺動規制用ボルト２７を締め込むと、当該揺動規制用ボルト２７が前ローラーブラケット１８の側面に押し付けられ、揺動ブラケット２２が揺動しないように前ローラーブラケット１８に固定される。芝立たせブラシ１１を揺動しない状態で用いる場合には、揺動規制用ボルト２７を締め込んで、芝刈り機本体２に対して芝立たせブラシ１１の取付け位置を固定する。
【００５０】
ここで、本例の芝刈り機１において、図１、図４および図５から分かるように、芝刈り機１の左右の前ローラーブラケット１８は、前ローラー１２の左右のローラー軸１７を軸支する軸受部１８ａにおける芝刈り機前側の部位からアーム部１８ｂが上方に延び、当該アーム部１８ｂが、芝刈り機本体２の左右のサイドフレーム１９の支軸２０に取り付けられている。
【００５１】
左右の前ローラーブラケット１８をそれぞれ右および左に入れ替え、それらの軸受部１８ａがアーム部１８ｂに対して芝刈機前方に延びる状態で、右および左の支軸２０に取り付けることが可能となっている。この結果、前ローラー１２のローラー軸１７を軸支する軸受部１８ａの位置を芝刈り機前側に変えることができる。換言すると、前ローラー１２の取付け位置を芝刈り機前側に変えることができる。
【００５２】
また、軸受部１８ａは芝刈り機前後方向に長い長円形の軸穴１８ｆを備えており、ここに通した前ローラー１２のローラー軸１７の前後の位置は、図６に示すスペーサ２８を、ローラー軸１７の前後のいずれに装着するのかによって変更可能である。図４に示すように、本例では、ローラー軸１７の後側にスペーサ２８を装着してある。
【００５３】
したがって、芝刈り機１においては、前ローラーブラケット１８を左右入れ替えること、および、スペーサ２８の装着位置を前後に入れ替えることにより、前ローラー１２の前後方向の取付け位置を４段階に切り替えることができる。前ローラー１２を最も後側に配置する場合には、前ローラーブラケット１８を、図１、図４および図５に示すように、その軸受部１８ａがアーム部１８ｂに対して後方に突出する状態に取り付ける。また、前ローラー１２のローラー軸１７の前側にスペーサ２８を装着する。例えば、芝立たせブラシ１１等を取り付けない場合には、このように前ローラー１２を最も後側の位置、すなわち、リールカッター１０に最も近い位置にすればよい。
【００５４】
本例の場合には芝立たせブラシ１１を前ローラー１２とリールカッター１０の間に配置するために、スペーサ２８を、図４（ａ）から分かるように、ローラー軸１７の後側に装着してある。これに対して、芝立たせブラシ１１よりも設置スペースを必要とするサッチングカッターあるいはグルーミングカッターを取り付ける場合には、前ローラーブラケット１８を、その軸受部１８ａがアーム部１８ｂに対して前方に突出する状態に取り付ける。
【００５５】
例えば、サッチングカッターを取り付ける場合には、前ローラー１２を最も前側の位置となるように配置する。図１１（ａ）および（ｂ）は、芝立たせブラシ１１の代わりに、サッチングカッター３２を取り付けた場合の芝刈り機１を示す正面図および側面図である。この場合には、前ローラーブラケット１８は、その軸受部１８ａがアーム部１８ｂに対して前方に突出する状態に取り付けられ、スペーサ２８は軸穴１８ｆにおけるローラー軸１７の後側に装着される。これにより、前ローラー１２とリールカッター１０の間に、サッチングカッター３２を取付け可能な設置スペースを確保できる。
【００５６】
また、グルーミングカッターを取り付ける場合には、前ローラー１２を最も前側の位置から２番目の位置となるように配置する。図１２（ａ）および（ｂ）は、芝立たせブラシ１１の代わりに、グルーミングカッター３３を取り付けた場合の芝刈り機１を示す正面図および側面図である。この場合には、前ローラーブラケット１８は、その軸受部１８ａがアーム部１８ｂに対して前方に突出する状態に取り付けられ、スペーサ２８は軸穴１８ｆにおけるローラー軸１７の前側に装着される。これにより、前ローラー１２とリールカッター１０の間に、グルーミングカッター３３を取付け可能な設置スペースを確保できる。
【００５７】
このように、芝刈り機１では、前ローラー１２とリールカッター１０の間に取り付けるカッター等に合わせて、前ローラー１２の前後の位置を変えることが可能であり、何も取り付けない場合には前ローラー１２は最も後側の位置に取り付け可能である。
【００５８】
［実施の形態２］
図１３（ａ）および（ｂ）は、本発明を適用した実施の形態２に係るリール式の歩行型芝刈り機を示す正面図および側面図である。これらの図に示す歩行型芝刈り機１Ａの基本構成は実施の形態１に係る歩行型芝刈り機１と同一のであるので、対応する部位には同一の符号を付し、それらの部位の説明は省略する。
【００５９】
歩行型芝刈り機１Ａでは、芝立たせブラシ１１が芝刈り機本体２に対して固定した位置に配置されている。すなわち、芝立たせブラシ１１の板金製の束ね部１１ｂの両端部が、それぞれ、取付け用のボルト３１によって、左右の前ローラーブラケット１８の軸受部１８ａの後側の部位に直接取り付けられている。
【００６０】
［その他の実施の形態］
なお、上記の実施の形態は、本発明をリール式の歩行型芝刈り機に適用したものである。本発明は、リール式の乗用型芝刈り機に対しても同様に適用可能である。
【符号の説明】
【００６１】
１、１Ａ  リール式の歩行型芝刈り機、２  芝刈り機本体、３  ハンドルアーム、４  操作盤、５  ハンドル、６  エンジン、７  動力伝達機構部、８  ドラム式車輪、９  受け刃、９ａ  刃先、１０  リールカッター、１０ａ  リール刃、１１  芝立たせブラシ、１１ａ  毛先、１１ｂ  束ね部、１２  前ローラー、１２ａ  ローラー本体、１２ｂ  リブ、１３  メインクラッチ操作レバー、１４  刈取りクラッチ操作レバー、１５  車軸、１５ａ  軸端部、１６  カッター軸、１７  ローラー軸、１８  前ローラーブラケット、１８ａ  軸受部、１８ｂ  アーム部、１８ｃ  上端部、１８ｄ  長穴、１８ｅ  長円形外周面、１９  サイドフレーム、２０  支軸、２１  取付け高さ調整ネジ、２２  揺動ブラケット、２２ａ  ブラケット本体板、２２ｂ  ブラシ取付け穴、２２ｃ  ブラシ取付け穴、２２ｄ  軸受部、２２ｅ  腕部、２２ｆ  ボルト穴、２３  支点ピン、２４  ブラシ支え、２４ａ  ブラシ取付け部、２４ｂ  取付けフランジ、２４ｃ  取付け穴、２４ｄ  取付け穴、２５  補強金具、２６  揺動調整用ボルト、２７  揺動規制用ボルト、２８  スペーサ、２９ａ〜２９ｄ  ボルト、３１  ボルト、３２  サッチングカッター、３３  グルーミングカッター
【図１】
2014226076.tif 000003
【図２】
2014226076.tif 000004
【図３】
2014226076.tif 000005
【図４】
2014226076.tif 000006
【図５】
2014226076.tif 000007
【図６】
2014226076.tif 000008
【図７】
2014226076.tif 000009
【図８】
2014226076.tif 000010
【図９】
2014226076.tif 000011
【図１０】
2014226076.tif 000012
【図１１】
2014226076.tif 000013
【図１２】
2014226076.tif 000014
【図１３】
2014226076.tif 000015